(57)【要約】【課題】充電端子に塩水、水、汗等が付着して起こる充電端子の電気分解による腐食を防止し、かつ、この作用を簡素な構成によって実現することを目的とする。【解決手段】携帯機器充電端子６には空間５を持ち、携帯機器充電端子６を覆うように可変形端子２が設けられている。この可変形端子２は導電性ゴム等のような導電性があり、外からの押圧で変形する材質で構成されている。充電時には充電器充電端子７からの押圧により、可変形端子２が変形し携帯機器充電端子６と接触する事で充電可能となるが、携帯機器１を充電器８から外すと可変形端子２が復帰し空間５が生じるため、携帯機器充電端子６は携帯機器１の外部との電気的接続がなくなり、充電端子の電気分解による腐食を防止できる。【選択図】  図１
2004172789.tif 000002
【特許請求の範囲】
【請求項１】
携帯機器に内蔵された電池を充電する手段を備えた携帯機器において、
前記携帯機器充電端子に導電性および押圧により変形可能な可変形端子（以降可変形端子と称する）を設け、
前記可変形端子は前記携帯機器の充電端子を覆い、
前記携帯機器充電端子と可変形端子間には絶縁のための空間を設けたことを特徴とする携帯機器。
【発明の詳細な説明】
【０００１】
【発明の属する技術分野】
本発明は、携帯機器等における充電端子に関する。
【０００２】
【従来の技術】
この種の携帯機器の充電端子構造では、図３に示すように携帯機器充電端子６が外部に露出された構造になっている。そして図４に示すように充電器充電端子７は導電性のあるバネ性を有した板バネを使用してかつ携帯機器充電端子に接触しやすい構造に加工されている。また、この板バネは充電器８の内部基板１１に半田付けされて、携帯機器充電端子６と接触方向にバネ力が加わるように設置されている。さらにこの板バネは充電器内部基板１１と電源ケーブル９を介して電源１０に接続されている。
【０００３】
【特許文献１】
特開平８−４６６７０号公報
特開平６−２５２８２６号公報
【０００４】
【発明が解決しようとする課題】
ところで、このような充電端子が外面に露出する構成では、携帯機器充電端子６に通常使用時に汗の付着、降雨時やプール等での使用時の水の付着、海辺での使用時での塩水の付着等が発生する。一方、携帯機器充電端子６には、携帯機器１の電源ＯＮ、ＯＦＦにかかわらず、携帯機器内臓電池１２から、電気回路上のわずかなリークによる微弱電圧が携帯機器充電端子６の＋と−間に発生する。前記付着物がこの携帯機器充電端子６の＋と−間を直接短絡するように付着した場合、または、携帯機器充電端子６の＋と−間を携帯機器１の筺体を介して短絡するように付着した場合、前記付着物と前記微弱電圧により携帯機器充電端子６の＋と−間で導通し電気分解が発生する。これにより携帯機器充電端子６が腐食して充電機能が劣化したり、外観不良となる問題があった。特に野外で使用する防水構造の携帯機器では常時水や塩水等にさらされ電気分解による腐食は無視できない問題である。
【０００５】
充電端子の電気分解による腐食防止の先行技術としては特開平８−４６６７０号公報や特開平６−２５２８２６号公報があるがいずれも充電時における電気分解による腐食防止改善技術であり、通常の使用時における電気分解に対する腐食防止のものではない。
【０００６】
本発明は、このような従来の問題を解決するものであり通常使用時における充電端子の電気分解による腐食の発生を抑えて充電不良、及び、携帯機器の外観不良が生じにくい携帯機器充電端子を提供することを目的としている。
【０００７】
【課題を解決するための手段】
携帯機器に内蔵された電池を充電する手段を備えた携帯機器において、前記携帯機器充電端子に導電性および、押圧により変形可能な可変形端子を設け、
前記可変形端子は前記携帯機器の充電端子を覆い、前記携帯機器充電端子と可変形端子間には絶縁のための空間を設けている。
【０００８】
【作用】
携帯機器を充電する場合は、充電器に置いた状態で、充電が実施される。この時、充電器充電端子からの押圧により携帯機器充電端子を覆っている可変形端子が押され可変形端子と携帯機器側充電端子間の空間がなくなり、可変形端子と携帯機器充電端子が確実に接続状態となる。つまり、可変形端子を介して携帯機器充電端子と充電器充電端子とが、電気的に接続して携帯機器に充電可能状態となる。携帯機器使用時は充電器から携帯機器を外すので可変形端子に対する押圧がなくなる。この時、携帯機器充電端子と可変形端子とは、確実に分離され、且つ、そこに空間ができる。従って、可変形端子には、前記微弱電圧が生じない為に、携帯機器充電端子の＋と−の可変形端子間を短絡するように汗、水、塩水等が付着しても電気分解による可変形端子の腐食は発生しない。また、携帯機器充電端子は可変形端子で汗、水、塩水等が付着することから保護されるので携帯機器充電端子自体にも電気分解による腐食、及び、携帯機器の外観不良は発生しない。
【０００９】
【発明の実施の形態】
以下、本発明の実施例を図１に基づき説明する。
【００１０】
図１（Ｂ）に示すように充電器８には携帯機器１の携帯機器充電端子６に接触して充電するための充電器充電端子７が設けられている。また、携帯機器１には、充電器８に設置時、充電器充電端子７に対応する位置に携帯機器充電端子６が設けられている。
【００１１】
また、図１（Ａ）に示すように携帯機器充電端子６には空間５を持つ可変形端子２が設けられている。この可変形端子２は導電性ゴム等のような、導電性があり、外からの押し圧で変形する材質で構成されている。また、携帯機器充電端子６は内部基板接触バネ４で携帯機器１の充電回路等搭載基板３に接続されこの充電回路等搭載基板３に搭載されている充電回路の入力に接続される。充電回路の出力はこの充電回路等搭載基板３に付いている電池接触バネ１３で内臓電池１２の電池端子１５に接続され内蔵電池１２に充電される様になっている。
【００１２】
図１（Ｂ）に示すように充電器充電端子７は携帯機器充電端子６に接触し易い形状に形成されバネ性を有し導電性の部材で構成されている。また、充電器内部基板１１に半田付けされ電源ケーブル９を介して電源（ＡＣアダプタ）１０に接続されている。
【００１３】
図２には本発明の実施例の理解を容易にするために電気的なブロック図を示した。
【００１４】
次に、図１に基づいて本例における携帯機器充電端子６および可変形端子２の機能を説明する。
【００１５】
図１（Ａ）に示すように携帯機器充電端子６には導電性で可変形性のある可変形端子２が設けられているので携帯機器充電端子６に塩水、水、汗等が付着することはない為に携帯機器充電端子６が電気分解により腐食することはない。また、携帯機器充電端子６と可変形端子２間には空間５があるので、可変形端子２に塩水、水、汗などが付着しても可変形端子２に前記微弱電圧が発生していないので可変形端子が電気分解による腐食は発生しない。
【００１６】
携帯機器１に充電するため携帯機器１を充電器８に設置すると図１（Ｂ）に示すように、充電器充電端子７が携帯機器１の可変形端子２を押す。可変形端子２は、可変形性があるので押圧がかかると、変形して携帯機器充電端子６に確実に接続される。従って充電器充電端子７は可変形端子２を介して携帯機器充電端子６と確実に電気的接続する。
【００１７】
一方、携帯機器１が充電器８より外されると充電器充電端子７からの押圧はなくなるので可変形端子２が復帰して携帯機器充電端子６と可変形端子２とは確実に分離され、且つ、その間に空間５が生じることとなる。
【００１８】
なお、上記実施例では各構成要素を特定の形状で示したが、これに限定される趣旨ではなく、可変形端子２及び、それとの間に空間５を設ける効果によって、携帯機器充電端子６の電気分解による腐食を防止する機能及び、可変形端子２自体の電気分解による腐食を防止する機能を満足する範囲で適宜に設計変更できるものである。
【００１９】
【発明の効果】
以上述べたように、本発明によると、携帯機器充電端子６を可変形端子２で保護するとともに携帯機器充電端子６と可変形端子２間に空間５を設けた構造にしたので、携帯機器充電端子６のみならず可変形端子２自体の電気分解による腐食、及び、携帯機器の外観不良を防止することができる。
【００２０】
また、可変形端子２を設けるのみ構成であるので、充電端子腐食防止を容易に実現できる。
【図面の簡単な説明】
【図１】本発明における可変形端子の設置例および本発明における携帯機器充電端子と充電器充電端子が可変形端子を介して接触する状態を説明する図である。
【図２】本発明を示すブロック図である。
【図３】従来の充電方式の実施例である。
【図４】従来の充電方式における携帯機器充電端子と充電器充電端子が接触する状態を説明する図である。
【符号の説明】
１  携帯機器、２  可変形端子、３  充電回路等搭載内部基板、４  内部基板接触バネ、５  空間、６  携帯機器充電端子、７  充電器充電端子、８  充電器、９  電源ケーブル、１０  電源（ＡＣアダプター）、１１  充電器内部基板  、１２内臓電池、１３電池接触バネ、１４  充電回路、  １５  電池端子
【図１】
2004172789.tif 000003
【図２】
2004172789.tif 000004
【図３】
2004172789.tif 000005
【図４】
2004172789.tif 000006